(57)【要約】【課題】大きな出力の電源装置２を設けることが可能となる、電源装置２を器具本体１の外底面に設置した照明装置を提供すること。【解決手段】内部にＬＥＤ５を収めた器状である器具本体１の外底面に、ＬＥＤ５に電力を供給する電源装置２をアーム部３を介して器具本体１外周の外側領域に位置するように設けている。そして、複数の放熱フィン４を器具本体１の外底面に設け、この放熱フィン４にアーム部３を結合させて器具本体１外周の外側領域に突出するように設けている。【選択図】図１
2008159455.tif 000002
【特許請求の範囲】
【請求項１】
内部にＬＥＤを収めた器状である器具本体の外底面に、ＬＥＤに電力を供給する電源装置をアーム部を介して器具本体外周の外側領域に位置するように設けていることを特徴とする照明装置。
【請求項２】
複数の放熱フィンを器具本体の外底面に設け、この放熱フィンにアーム部を結合させて器具本体外周の外側領域に突出するように設けていることを特徴とする請求項１記載の照明装置。
【請求項３】
天井面に埋設される照明装置であって、アーム部が略水平な板状であり、器具本体の開口部が下側を向くように設けられていることを特徴とする請求項１又は２記載の照明装置。
【請求項４】
アーム部が器具本体の下方に傾斜するように突出していることを特徴とする請求項３記載の照明装置。
【請求項５】
アーム部の器具本体内側端部と電源装置との間の部分に曲折部を設け、曲折部から先の部分の傾斜が緩やかになっていることを特徴とする請求項４記載の照明装置。
【請求項６】
アーム部の器具本体内側端部と電源装置との間の部分に開口部を設けていることを特徴とする請求項４又は５記載の照明装置。
【請求項７】
開口部の器具本体側口縁に垂下板を設けていることを特徴とする請求項６記載の照明装置。
【発明の詳細な説明】
【技術分野】
【０００１】
本願発明は、内部にＬＥＤを収めた器状である器具本体の外底面に、ＬＥＤに電力を供給する電源装置を設けている照明装置に関するものである。
【背景技術】
【０００２】
従来から、特開２００２−３０４９０４号公報（特許文献１）に示されるようなＬＥＤ照明装置は知られている。このＬＥＤ照明装置は図１０に示すように、器具本体１０１、器具外郭１０２、レンズ体１０３およびＬＥＤ１０４を備えているほか、器具本体１０１にＬＥＤ電源供給部１０５が内蔵されている。そして、このＬＥＤ電源供給部１０５はＬＥＤ１０４が実装された配線基板の裏面側に設けられている。
【０００３】
これにより、天井裏からの交流電源をＬＥＤ照明装置に直接接続し、一般家庭で使用されているシーリング器具としての展開が容易にできた。
【特許文献１】特開２００２−３０４９０４号公報
【発明の開示】
【発明が解決しようとする課題】
【０００４】
しかしながら、ＬＥＤ電源供給部１０５が器具本体１０１に内蔵されていると、ＬＥＤ１０４からの熱の影響を受けやすく、ＬＥＤ電源供給部１０５の部品温度が上昇してしまう恐れがある。また、ＬＥＤ１０４が発する熱はＬＥＤ電源供給部１０５との取付部を介してＬＥＤ電源供給部１０５に伝わり、更にＬＥＤ電源供給部１０５から器具本体１０１に伝わって外部に放熱されるので、ＬＥＤ１０４の放熱性が低下してしまう恐れがある。
【０００５】
よって、特開２００２−３０４９０４号公報に示される上記従来例のＬＥＤ照明装置にあっては、大きな出力のＬＥＤ電源供給部１０５を設けることが困難であるという問題があった。
【０００６】
本願発明は、上記課題を解決するためになされたものであり、その目的は、大きな出力の電源装置を設けることが可能となる、電源装置を器具本体の外底面に設置した照明装置を提供することにある。
【課題を解決するための手段】
【０００７】
上記課題を解決するために、本願請求項１記載の発明では、内部にＬＥＤを収めた器状である器具本体の外底面に、ＬＥＤに電力を供給する電源装置をアーム部を介して器具本体外周の外側領域に位置するように設けていることを特徴としている。
【０００８】
また、本願請求項２記載の発明では、上記請求項１記載の照明装置において、複数の放熱フィンを器具本体の外底面に設け、この放熱フィンにアーム部を結合させて器具本体外周の外側領域に突出するように設けていることを特徴としている。
【０００９】
また、本願請求項３記載の発明では、上記請求項１又は２記載の照明装置において、天井面に埋設される照明装置であって、アーム部が略水平な板状であり、器具本体の開口部が下側を向くように設けられていることを特徴としている。
【００１０】
また、本願請求項４記載の発明では、上記請求項３記載の照明装置において、アーム部が器具本体の下方に傾斜するように突出していることを特徴としている。
【００１１】
また、本願請求項５記載の発明では、上記請求項４記載の照明装置において、アーム部の器具本体内側端部と電源装置との間の部分に曲折部を設け、曲折部から先の部分の傾斜が緩やかになっていることを特徴としている。
【００１２】
また、本願請求項６記載の発明では、上記請求項４又は５記載の照明装置において、アーム部の器具本体内側端部と電源装置との間の部分に開口部を設けていることを特徴としている。
【００１３】
また、本願請求項７記載の発明では、上記請求項６記載の照明装置において、開口部の器具本体側口縁に垂下板を設けていることを特徴としている。
【発明の効果】
【００１４】
本願請求項１記載の発明の照明装置においては、器具本体の外底面に、ＬＥＤに電力を供給する電源装置をアーム部を介して器具本体外周の外側領域に位置するように設けているので、ＬＥＤと電源装置が離れてＬＥＤの熱が電源装置へ伝わりにくくなり、大きな出力の電源装置を設けることができる。
【００１５】
本願請求項２記載の発明の照明装置においては、特に、複数の放熱フィンを器具本体の外底面に設け、この放熱フィンにアーム部を結合させて器具本体外周の外側領域に突出するように設けているので、アーム部を取り付けるための部品を別途設ける必要がなく、構造を簡易にすることができる。
【００１６】
本願請求項３記載の発明の照明装置においては、特に、天井面に埋設される照明装置であって、アーム部が略水平な板状であり、器具本体の開口部が下側を向くように設けられているので、容易に取り付けることができて施工性が向上する。
【００１７】
本願請求項４記載の発明の照明装置においては、特に、アーム部が器具本体の下方に傾斜するように突出しているので、対流により上昇していくＬＥＤの熱が電源装置の方へ行きにくくなる。よって、ＬＥＤの熱が電源装置へ伝わりにくくなるため、大きな出力の電源装置を設けることができる。
【００１８】
本願請求項５記載の発明の照明装置においては、特に、アーム部の器具本体内側端部と電源装置との間の部分に曲折部を設け、曲折部から先の部分の傾斜が緩やかになっているので、電源装置から発生する熱がＬＥＤへ伝わりにくくなる。よって、ＬＥＤの温度上昇を避けられ、ＬＥＤの光出力を高くすることができる。
【００１９】
本願請求項６記載の発明の照明装置においては、特に、アーム部の器具本体内側端部と電源装置との間の部分に開口部を設けているので、電源装置の熱は対流により開口部から上昇し、ＬＥＤへ伝わりにくくなる。よって、ＬＥＤの温度上昇を避けられ、ＬＥＤの光出力を高くすることができる。
【００２０】
本願請求項７記載の発明の照明装置においては、特に、開口部の器具本体側口縁に垂下板を設けているので、電源装置の熱は垂下板に妨げられることにより、更に対流により開口部から上昇することになり、ＬＥＤへ伝わりにくくなる。よって、ＬＥＤの温度上昇を避けられ、ＬＥＤの光出力を高くすることができる。
【発明を実施するための最良の形態】
【００２１】
以下、本願発明を添付図面に示す実施形態に基づいて説明する。
【００２２】
図１〜３は、本願請求項１〜４に対応した第一の実施形態である照明装置を示している。
【００２３】
本実施形態の照明装置は、内部にＬＥＤ５を収めた器状である器具本体１の外底面に、ＬＥＤ５に電力を供給する電源装置２をアーム部３を介して器具本体外周の外側領域に位置するように設けている。そして、複数の放熱フィン４を器具本体１の外底面に設け、この放熱フィン４にアーム部３を結合させて器具本体外周の外側領域に突出するように設けている。この照明装置は、天井面に埋設され、アーム部３が略水平な板状であり、器具本体１の開口部が下側を向くように設けられている。アーム部３は器具本体１の下方に傾斜するように突出している。
【００２４】
以下、この実施形態の照明装置をより具体的詳細に説明する。
【００２５】
この実施形態の照明装置は、天井に設けられた取付け孔に挿入させることで、設置されるダウンライトである。なお、天井以外にも壁面などにおいても設置することは可能である。
【００２６】
器具本体１は、図１〜３に示すように、円盤状の底部と、底部の外周縁から下方に延設された円筒部と、円筒部の下端から外側に延設されて円筒部を取り囲む縁部と、を一体に有する形状に形成されている。底部の外周は外底面側に近づくにつれ小さくなるようなテーパ形状となっている。図示されていないが、外付けされている電源装置２に電気的に接続される接続部（コネクタ）が内底面中央付近に設けられている。なお、器具本体１は例えばアルミなどからなる。
【００２７】
この器具本体１の内底面には実装基板６が設けられている。この実装基板６は、ＬＥＤ５、コンデンサ、トランジスタ等の電子部品が実装された器具本体内に収納される円状のＬＥＤユニット（プリント基板）である。そして、図示されていないが、器具本体１に設けられた接続部にコネクタ接続される接続部を実装基板６の上面中央に備えている。
【００２８】
図示されていないが、ＬＥＤ５の前方にはレンズを含むレンズ体が配置されている。このレンズ体は、例えば絶縁性の樹脂成形により形成され、ＬＥＤ５の光を制御するためのレンズが各ＬＥＤ５に配置されている。
【００２９】
なお、レンズ体及び実装基板６は器具本体内に着脱自在に収納されるようになっていてもよい。
【００３０】
図１〜３に示すように、器具本体１の外底面には、複数の放熱フィン４が一面に設けられている。この放熱フィン４はアルミなどから略矩形状に形成されている。放熱フィン４は器具本体１と一体となっており、各放熱フィン４が平行になるように設けられている。
【００３１】
外側の放熱フィン４の一つには、くの字状に曲げ加工されたアーム部３が引っ掛けられるように接合されている。このアーム部３は略水平な板状であり、アルミ等からなる。そして、器具本体外周の外側領域に対して下方に傾斜するように突出している。このアーム部３の先端付近の下面には、ＬＥＤ５に電力を供給する電源装置２が設けられている。
【００３２】
したがって、電源装置２をアーム部３を介して器具本体外周の外側領域に位置するように設けているので、ＬＥＤ５と電源装置２が離れてＬＥＤ５の熱が電源装置２へ伝わりにくくなり、大きな出力の電源装置２を設けることができる。
【００３３】
また、放熱フィン４にアーム部３を結合させて設けているので、アーム部３を取り付けるための部品を別途設ける必要がなく、構造を簡易にすることができる。
【００３４】
また、天井面に埋設される照明装置であって、器具本体１の開口部が下側を向くように設けられているので、容易に取り付けることができて施工性が向上する。
【００３５】
また、アーム部３が器具本体１の下方に傾斜するように突出しているので、対流により上昇していくＬＥＤ５の熱が電源装置２の方へ行きにくくなる。よって、ＬＥＤ５の熱が電源装置２へ伝わりにくくなるため、大きな出力の電源装置２を設けることができる。
【００３６】
なお、放熱フィン４の配列は上述した形式に限らず、他の配列であっても同様の作用及び効果を奏する。
【００３７】
図４、５は、本願請求項１〜５に対応した第二の実施形態である照明装置を示している。
【００３８】
なお、ここでは、上記第一の実施形態と相違する事項についてのみ説明し、その他の事項（構成、作用効果等）については、上記第一の実施形態と同様であるのでその説明を省略する。
【００３９】
本実施形態の照明装置は、アーム部３の器具本体内側端部と電源装置２との間の部分に曲折部を設け、曲折部から先の部分の傾斜が緩やかになっている。具体的には、図４、５に示すように曲折部から先の部分が上方に折れ曲がっている。
【００４０】
したがって、曲折部から先の部分の傾斜が緩やかになっているので、電源装置２から発生する熱がＬＥＤ５へ伝わりにくくなる。よって、ＬＥＤ５の温度上昇を避けられ、ＬＥＤ５の光出力を高くすることができる。
【００４１】
図６、７は、本願請求項１〜４、６に対応した第三の実施形態である照明装置を示している。
【００４２】
なお、ここでは、上記第一の実施形態と相違する事項についてのみ説明し、その他の事項（構成、作用効果等）については、上記第一の実施形態と同様であるのでその説明を省略する。
【００４３】
本実施形態の照明装置は、アーム部３の器具本体内側端部と電源装置２との間の部分に開口部７を設けている。具体的には、図６、７に示すように、アーム部３の器具本体内側端部に短手方向に長い矩形状の開口部７を設けている。
【００４４】
したがって、開口部７を設けているので、電源装置２の熱は対流により開口部７から上昇し、ＬＥＤ５へ伝わりにくくなる。よって、ＬＥＤ５の温度上昇を避けられ、ＬＥＤ５の光出力を高くすることができる。
【００４５】
図８、９は、本願請求項１〜４、６、７に対応した第四の実施形態である照明装置を示している。
【００４６】
なお、ここでは、上記第三の実施形態と相違する事項についてのみ説明し、その他の事項（構成、作用効果等）については、上記第三の実施形態と同様であるのでその説明を省略する。
【００４７】
本実施形態の照明装置は、開口部７の器具本体側口縁に垂下板８を設けている。具体的には、図８、９に示すように、アーム部３の器具本体内側端部と電源装置２の間の中程の部分に短手方向に長い矩形状の開口部７を設けている。そして、この開口部７の器具本体側口縁に下方に延びる垂下板８を設けている。
【００４８】
したがって、開口部７の器具本体側口縁に垂下板８を設けているので、電源装置２の熱は垂下板８に妨げられることにより、更に対流により開口部７から上昇することになり、ＬＥＤ５へ伝わりにくくなる。よって、ＬＥＤ５の温度上昇を避けられ、ＬＥＤ５の光出力を高くすることができる。
【図面の簡単な説明】
【００４９】
【図１】本願発明の第一の実施形態である照明装置を示す斜視図。
【図２】同照明装置を示す斜視図。
【図３】同照明装置を示す側面図。
【図４】本願発明の第二の実施形態である照明装置を示す斜視図。
【図５】同照明装置を示す側面図。
【図６】本願発明の第三の実施形態である照明装置を示す斜視図。
【図７】同照明装置を示す側面図。
【図８】本願発明の第四の実施形態である照明装置を示す斜視図。
【図９】同照明装置を示す側面図。
【図１０】従来例である照明装置を示す断面図。
【符号の説明】
【００５０】
１  器具本体
２  電源装置
３  アーム部
４  放熱フィン
５  ＬＥＤ
６  実装基板
７  アーム部の開口部
８  垂下板
【図１】
2008159455.tif 000003
【図２】
2008159455.tif 000004
【図３】
2008159455.tif 000005
【図４】
2008159455.tif 000006
【図５】
2008159455.tif 000007
【図６】
2008159455.tif 000008
【図７】
2008159455.tif 000009
【図８】
2008159455.tif 000010
【図９】
2008159455.tif 000011
【図１０】
2008159455.tif 000012